(57)【要約】【課題】細径化を図りつつもチャネルを装備することが容易な内視鏡を構成する。【解決手段】撮像光学系Ｍ（１，２）と、照明光学系Ｌ（４）と、チャネル５と、撮像光学系、照明光学系及びチャネルを包囲するチューブ６とを備える。少なくとも先端部を含む体内挿入部において、チャネルは、チューブの内壁面と、撮像光学系の外壁面と、照明光学系の外壁面とで囲まれた中空部で構成され、当該チャネルの内壁面がチューブの内壁面と、撮像光学系の外壁面と、照明光学系の外壁面とからなる。これによりチャネル用のチューブを配置することなくチャネルを構成することができ細径化できる。【選択図】図２
2014226338.tif 000002
【特許請求の範囲】
【請求項１】
撮像光学系と、照明光学系と、チャネルと、前記撮像光学系、前記照明光学系及び前記チャネルを包囲するチューブと、を備える内視鏡であって、
少なくとも先端部を含む体内挿入部において、前記チャネルは、前記チューブの内壁面と、前記撮像光学系の外壁面と、前記照明光学系の外壁面とで囲まれた中空部で構成され、当該チャネルの内壁面が前記チューブの内壁面と、前記撮像光学系の外壁面と、前記照明光学系の外壁面とからなることを特徴とする内視鏡。
【請求項２】
前記照明光学系の全部又は一部と前記チャネルの全部又は一部とが当該内視鏡の中心軸を中心とした周方向に重なって配置されたことを特徴とする請求項１に記載の内視鏡。
【請求項３】
前記撮像光学系が当該内視鏡の中心軸を中心として配置され、前記照明光学系と前記チャネルとで前記撮像光学系が囲まれたことを特徴とする請求項１又は請求項２に記載の内視鏡。
【請求項４】
前記撮像光学系が当該内視鏡の中心軸から偏心して配置され、前記撮像光学系の一部、前記照明光学系の一部及び前記チャネルの一部が、当該内視鏡の中心軸を中心とした周方向に重なって配置されたことを特徴とする請求項１又は請求項２に記載の内視鏡。
【請求項５】
前記撮像光学系は、イメージングファイバーを有し、当該イメージングファイバーの外壁面が前記チャネルの内壁面を構成することを特徴とする請求項１から請求項４のうちいずれか一に記載の内視鏡。
【請求項６】
前記撮像光学系は、レンズを前記イメージングファイバーの先端部に保持する筒状のレンズ枠を有し、当該レンズ枠の外壁面及び前記イメージングファイバーの外壁面が前記チャネルの内壁面を構成することを特徴とする請求項１から請求項４のうちいずれか一に記載の内視鏡。
【請求項７】
前記照明光学系は、前記撮像光学系の中心軸を中心とした周方向に複数本が並んで配置されてなるライトガイドファイバー集合体によって構成されたことを特徴とする請求項１から請求項６のうちいずれか一に記載の内視鏡。
【請求項８】
前記照明光学系は、当該内視鏡の先端側に配置される端面から長手方向に延在するスリットを有した円筒状のライトガイドファイバー集合体によって構成され、当該スリットに前記チャネルが構成され、当該スリットの内側面が前記チャネルの内壁面を構成することを特徴とする請求項１から請求項７のうちいずれか一に記載の内視鏡。
【請求項９】
前記体内挿入部より基端側において他のチューブが前記スリットに構成された前記チャネルに接続したことを特徴とする請求項８に記載の内視鏡。
【請求項１０】
前記チューブの前記チャネルの内壁面を構成する部位が、前記チャネルの内部からの圧力によって前記チャネルの断面積を拡大するよう外側に膨張変形可能に構成されたことを特徴とする請求項１から請求項９のうちいずれか一に記載の内視鏡。
【請求項１１】
前記チャネルの内壁面を構成する前記照明光学系の外壁面が横断面において凹状で長手方向に連続する凹面で構成されたことを特徴とする請求項１から請求項１０のうちいずれか一に記載の内視鏡。
【発明の詳細な説明】
【技術分野】
【０００１】
本発明は、体内に挿入されて生体組織を観察するための内視鏡に関する。
【背景技術】
【０００２】
生体の管腔内等に挿入されて生体組織を観察するために内視鏡が利用されている。内視鏡に関する文献の例として特許文献１−２を挙げる。
一般に内視鏡の先端構造としては、観察対象の物体の像を結像するレンズと、その像が入力されるＣＣＤ（Charge Coupled Device、以下同じ）等の撮像素子又はイメージングファイバーを設置した構造が取り得る。撮像素子であれば、撮像素子で電気信号に変換した画像信号を伝送ケーブルにより体外に導き、イメージングファイバーであればそのまま画像をイメージングファイバーで伝送して体外に導き、画像処理装置を介して画像表示装置に表示し観察することができる。
また内視鏡は、生体の管腔内を撮像するために照明が必須である。内視鏡の先端部には、撮像光学系の像入射面と照明光学系の照明光出射面が配置される。
さらに、内視鏡にはチャネルと呼ばれる基端部から先端部に通ずるトンネル状の構造が求められ、チャネルは鉗子や捕捉ネットなどの処置具の挿入路や体内への送液・送気路、体内からの排液・排気路などとして用いられる。
【０００３】
近時、内視鏡の適用範囲の拡大に伴い、特許文献２に示すような細径の内視鏡が開発されている。
特許文献１に記載の内視鏡にあっては、チャネル（同文献中「処置具挿入孔１５」）が設けられているが、特許文献２に記載の細径化された内視鏡にあっては、先端面が殆ど撮像光学系の像入射面と照明光学系の照明光出射面とで占められており、チャネルが設けられていない。
【先行技術文献】
【特許文献】
【０００４】
【特許文献１】特開２０１２−１５２３９０号公報
【特許文献２】特開２００３−１９００７７号公報
【発明の概要】
【発明が解決しようとする課題】
【０００５】
内視鏡の細径化に伴って顕著になる問題は、チャネルの実装が困難になることである。内視鏡を細径化すると、照明光学系および撮像光学系を配置できるスペースが小さくなる。十分な明るさで観察対象を観察するためには、照明光学系および撮像光学系は極力大きくすることが要求されるため、従来の内視鏡に備わっているチャネル部の部品を実装することが不可能、若しくは実装できても非常に限られた大きさになる。
内視鏡内にチャネル部が確保できない場合、撮像光学系に付着した異物の除去や視界確保のための送液若しくは送気ができず内視鏡操作で不便になる。また、処置具等を挿入することもできないため、内視鏡を使っての作業が限定される。
そこで、カテーテル内に細径化した内視鏡を挿入し、カテーテルの内径と内視鏡の外径との隙間を利用して送液若しくは送気を行う手段が用いられるが、カテーテルとの併用はカテーテルチューブの肉厚分で全体の外径が太くなってしまうため、細径化に対してデメリットとなる。また、細径化を主目的にするとカテーテル内径と内視鏡との外径との隙間は極小にする必要があるため、送液・送気時に過大な圧力を必要とし使い勝手が悪くなるという問題がある。
【０００６】
本発明は以上の従来技術における問題に鑑みてなされたものであって、細径化を図りつつもチャネルを装備することが容易な内視鏡を構成することを課題とする。
【課題を解決するための手段】
【０００７】
以上の課題を解決するための請求項１記載の発明は、撮像光学系と、照明光学系と、チャネルと、前記撮像光学系、前記照明光学系及び前記チャネルを包囲するチューブと、を備える内視鏡であって、
少なくとも先端部を含む体内挿入部において、前記チャネルは、前記チューブの内壁面と、前記撮像光学系の外壁面と、前記照明光学系の外壁面とで囲まれた中空部で構成され、当該チャネルの内壁面が前記チューブの内壁面と、前記撮像光学系の外壁面と、前記照明光学系の外壁面とからなることを特徴とする内視鏡である。
【０００８】
請求項２記載の発明は、前記照明光学系の全部又は一部と前記チャネルの全部又は一部とが当該内視鏡の中心軸を中心とした周方向に重なって配置されたことを特徴とする請求項１に記載の内視鏡である。
【０００９】
請求項３記載の発明は、前記撮像光学系が当該内視鏡の中心軸を中心として配置され、前記照明光学系と前記チャネルとで前記撮像光学系が囲まれたことを特徴とする請求項１又は請求項２に記載の内視鏡である。
【００１０】
請求項４記載の発明は、前記撮像光学系が当該内視鏡の中心軸から偏心して配置され、前記撮像光学系の一部、前記照明光学系の一部及び前記チャネルの一部が、当該内視鏡の中心軸を中心とした周方向に重なって配置されたことを特徴とする請求項１又は請求項２に記載の内視鏡である。
【００１１】
請求項５記載の発明は、前記撮像光学系は、イメージングファイバーを有し、当該イメージングファイバーの外壁面が前記チャネルの内壁面を構成することを特徴とする請求項１から請求項４のうちいずれか一に記載の内視鏡である。
【００１２】
請求項６記載の発明は、前記撮像光学系は、レンズを前記イメージングファイバーの先端部に保持する筒状のレンズ枠を有し、当該レンズ枠の外壁面及び前記イメージングファイバーの外壁面が前記チャネルの内壁面を構成することを特徴とする請求項１から請求項４のうちいずれか一に記載の内視鏡である。
【００１３】
請求項７記載の発明は、前記照明光学系は、前記撮像光学系の中心軸を中心とした周方向に複数本が並んで配置されてなるライトガイドファイバー集合体によって構成されたことを特徴とする請求項１から請求項６のうちいずれか一に記載の内視鏡である。
【００１４】
請求項８記載の発明は、前記照明光学系は、当該内視鏡の先端側に配置される端面から長手方向に延在するスリットを有した円筒状のライトガイドファイバー集合体によって構成され、当該スリットに前記チャネルが構成され、当該スリットの内側面が前記チャネルの内壁面を構成することを特徴とする請求項１から請求項７のうちいずれか一に記載の内視鏡である。
【００１５】
請求項９記載の発明は、前記体内挿入部より基端側において他のチューブが前記スリットに構成された前記チャネルに接続したことを特徴とする請求項８に記載の内視鏡である。
【００１６】
請求項１０記載の発明は、前記チューブの前記チャネルの内壁面を構成する部位が、前記チャネルの内部からの圧力によって前記チャネルの断面積を拡大するよう外側に膨張変形可能に構成されたことを特徴とする請求項１から請求項９のうちいずれか一に記載の内視鏡である。
【００１７】
請求項１１記載の発明は、前記チャネルの内壁面を構成する前記照明光学系の外壁面が横断面において凹状で長手方向に連続する凹面で構成されたことを特徴とする請求項１から請求項１０のうちいずれか一に記載の内視鏡である。
【発明の効果】
【００１８】
本発明によれば、撮像光学系及び照明光学系を包囲するチューブの中に、チャネル用のチューブを配置することなくチャネルを構成することができるので、細径化を図りつつもチャネルを装備することが容易である。
【図面の簡単な説明】
【００１９】
【図１】本発明の一実施形態に係る内視鏡の体内挿入部の縦断面図である。
【図２】図１の先端部分の詳細図(a)及び横断面図(b)である。
【図３】本発明の他の一実施形態に係る内視鏡の先端部分の縦断面図(a)及び横断面図(b)である。
【図４】本発明の実施形態に係る内視鏡の照明光学系に適用されるライトガイドファイバーの一例を示す斜視図であり、(a)は円筒状のものを、(b)はこれを切り開いたものを示す。
【図５】本発明の実施形態に係る内視鏡の照明光学系に適用されるライトガイドファイバーの一例を示す斜視図であり、(a)は円筒状のものを軸方向に切り分けたうちの１つを、(b)は２つを示す。
【図６】本発明の実施形態に係る内視鏡の照明光学系に適用されるライトガイドファイバーの一例を示す斜視図である。
【図７】本発明の実施形態に係る内視鏡の照明光学系に適用されるライトガイドファイバーの一例を示す斜視図であり、(a)は円筒状のものにスリットを２本いれたものを、(b)はスリットを１本いれたものを示す。
【図８】本発明の実施形態に係る内視鏡の基端側部分における分岐構造を示す縦断面図(a)及び横断面図(b)である。
【図９】本発明の他の一実施形態に係る内視鏡の先端部分の横断面図である。
【図１０】本発明の他の一実施形態に係る内視鏡の先端部分の横断面図であり、(a)はチャネルの断面積の拡大前を、(b)は外装チューブの膨張によるチャネルの断面積の拡大後を示す。
【図１１】本発明の実施形態に係る内視鏡を親内視鏡に組み合わせた一例のシステムの全体を示す外観図である。
【発明を実施するための形態】
【００２０】
以下に本発明の一実施形態につき図面を参照して説明する。以下は本発明の一実施形態であって本発明を限定するものではない。
【００２１】
本実施形態の内視鏡は、撮像光学系Ｍを構成するイメージングファイバー１、レンズ２及びレンズ枠３と、照明光学系Ｌを構成するライトガイドファイバー４と、チャネル５と、外装チューブ６とを備える。図１及び図２に１つの構造例を示す。
イメージングファイバー１の先端面にレンズ２が対向してイメージングファイバー１の先端部とレンズ２がレンズ枠３内に保持され、イメージングファイバー１及びレンズ枠３の外側にライトガイドファイバー４及びチャネル５が配置され、これらを外装チューブ６が包囲する構造がとられる。レンズ２は、屈折率分布型（GRIN）レンズである。
【００２２】
図２に示すように、撮像光学系Ｍ及び外装チューブ６が内視鏡の中心軸を中心にして配置される。撮像光学系Ｍと外装チューブ６との間に一定の間隔が一周に亘って形成されている。撮像光学系Ｍと外装チューブ６との間の一定の間隔に、照明光学系Ｌ及びチャネル５が周方向に並んで配置されており、照明光学系Ｌとチャネル５とで撮像光学系Ｍが囲まれた構成である。
照明光学系Ｌとチャネル５とは、中心軸ＡＸを中心とした半径方向には重なっておらず、照明光学系Ｌとチャネル５とは、中心軸ＡＸを中心とした周方向に重なっている。そのため、内視鏡の細径化に有利である。図２に示す構造では、照明光学系Ｌの全部とチャネル５の全部とが内視鏡の中心軸ＡＸを中心とした周方向に重なって配置されているが、部分的でも効果はあり、重なっている部分が大きいほど内視鏡の細径化に有利である。
照明光学系Ｌ及びチャネル５は、中心軸ＡＸを中心とした半径方向について撮像光学系Ｍの外周から外装チューブ６の内周までの範囲に互いに同一厚み（半径方向寸法）で形成されている。照明光学系Ｌとチャネル５とは、中心軸ＡＸを中心とした角度範囲について異なる範囲に配置され、中心軸ＡＸを中心とした半径距離範囲について同一範囲に配置されているということができる。
【００２３】
チャネル５は、チューブ６の内壁面と、撮像光学系Ｍの外壁面と、照明光学系Ｌの外壁面とで囲まれた中空部で構成される。図１、図２に示す構造では、撮像光学系Ｍの外壁面は、イメージングファイバー１の外壁面とレンズ枠３の外壁面で構成される。チャネル５の内壁面は、チューブ６の内壁面と、撮像光学系Ｍの外壁面と、照明光学系Ｌの外壁面とからなり、これら３者が隙間無く隣接することでチャネル５が完成している。内視鏡の中心軸ＡＸを中心として、チャネル５の内側（中心軸ＡＸ側）の内壁面は、撮像光学系Ｍの外壁面で構成される。レンズ枠３がある軸方向範囲においては、レンズ枠３の外壁面により、レンズ枠３より基端側の範囲においてはイメージングファイバー１の外壁面により構成される。
以上のように同心状に配置された撮像光学系Ｍとこれを囲む外装チューブ６との間の隙間において、チャネル５は、照明光学系Ｌと同じ半径距離範囲に構成される点、さらにチャネル用のチューブを配置することなくチャネル５を構成することができる点より、内視鏡の細径化を図りつつもチャネルを装備することが容易であり、従来、チャネルを装備できなかった細径の内視鏡においてもチャネルを装備することができる。
以上のようなチャネルの構造は、内視鏡の少なくとも先端部を含む体内挿入部において実現すれば足りる。体内に挿入しない基端側の部分は細径性が厳しく求められないからである。
【００２４】
次に図３を参照して他の構造例を説明する。
図３に示す構造にあっては、撮像光学系Ｍが内視鏡の中心軸ＡＸから偏心して配置されている。すなわち、撮像光学系Ｍの中心軸ＡＭは、内視鏡の中心軸ＡＸと一致せず、内視鏡の中心軸ＡＸから径方向に離れている。この構造により、内視鏡の中心軸ＡＸを挟んで撮像光学系Ｍの中心軸ＡＭの逆側において、撮像光学系Ｍと外装チューブ６との間の隙間が最大となる。この隙間の最大点を中心に照明光学系Ｌとしてのライトガイドファイバー４１が、隙間をすべて埋めない幅（周方向長さ）で配置される。ライトガイドファイバー４１の周方向に沿った両側に隙間が残り、これがチャネル５１，５２とされる。ライトガイドファイバー４１は、線径の太い複数の光ファイバー４１ａ同士をシーリング材４２で結合し束ねたものである。
かかる構造では、撮像光学系Ｍの一部、照明光学系Ｌの一部及びチャネル５１，５２の一部が、内視鏡の中心軸ＡＸを中心とした周方向に重なって配置されている。そのため、さらに内視鏡の細径化を図りつつもチャネルを装備することが容易である。
【００２５】
以上のように、照明光学系Ｌは、撮像光学系Ｍの中心軸ＡＭ（図２にあってはＡＸと共通）を中心とした周方向に複数本が並んで配置されてなるライトガイドファイバー集合体によって構成される。
【００２６】
ここで、チャネル５の製作方法につき図４を参照して説明する。図４(a)に示すライトガイドファイバー４は細い光ファイバーが集合した束が円筒状に形成されたライトガイドファイバー集合体である。このライトガイドファイバー４を軸方向に沿った１本の切れ込みで裂き、図４(b)に示すように切り開く。図４(a)に示す状態のライトガイドファイバー４の内径よりも若干大きな外径をもつイメージングファイバー１及びレンズ枠３（レンズ２が既設）を、図４(b)に示す切り開かれたライトガイドファイバー４に挿入すると、ライトガイドファイバー４の外径が膨らんで切り開いた部分に隙間ができる。さらにライトガイドファイバー４の外側に外装チューブ６を外装すると、図２に示すチャネル５が装備された内視鏡となる。
以上のように一箇所で切り開いたライトガイドファイバー４の中空部分に撮像光学系Ｍを挿し込むだけで、チャネル５を構成する隙間が自ずと出来上がり、後は外装チューブ６で覆うだけという簡素な工程で製作することができる。そのため、この構造は組立性が非常に良い点が利点の１つである。
【００２７】
また、図５に示すようにライトガイドファイバー４として、円筒状のものを軸方向に切り分けたうちの１つ又は複数を適用しても、内視鏡にチャネル５を設けることができる。例えば、図５(a)に示すように円筒状の時の中心角１８０度分相当のライトガイドファイバー４を適用する。こうすることでより流路断面積の広いチャネル５を設けることができる。円筒状の時の一周３６０度に対して何度分を使用するか選択することによりチャネル５の周方向幅を選択することができる。
また、このような切り分けたものを図５(b)に示すように２つ適用することで、チャネル５を２つ設けることができる。
【００２８】
また、図６に示すように線径の太い光ファイバー４１ａを数本用いて横並びに拘束して結合したライトガイドファイバー集合体を適用してもよい。この構成を用いることで図３に示す構造の内視鏡となる。
【００２９】
また、図７に示すように照明光学系Ｌとしてのライトガイドファイバー４は、内視鏡の先端側に配置される端面４ａから長手方向に延在するスリットＳを有した円筒状のライトガイドファイバー集合体を適用することができる。図４(b)に示したものと異なり、完全に切り開くのではなく、基端側に円筒部４ｂが残ったものである。
スリットＳは、図７(a)に示すように複数設けても良い。そうすることで内視鏡にチャネル５を複数設けることができる。
【００３０】
チャネル５（５１，５２）を複数設けることで、送液等の機能に加えて、ガイドワイヤーや処置具等を挿入する機能を、これらを同時に機能するものとして備えることができる。そのため、作業性および機能性が向上する。
【００３１】
図７に示したスリットＳと円筒部４ｂを有したライトガイドファイバー４を適用する場合、基端側での構造例を図８に示した。簡単のため図７(b)に示したスリットＳが１本のライトガイドファイバー４を適用した場合を例とする。
図８に示すように、イメージングファイバー１と図７(b)に示した構造のライトガイドファイバー４と外装チューブ６とを、外装チューブ６の基端部が保持されるように外囲パイプ７内に挿入する。スリットＳの終端部が外装チューブ６及び外囲パイプ７から基端側に露出した状態である。
外囲パイプ７の基端側より外囲パイプ７の内側のスリットＳ内にチューブ８を挿入する。次に、挿入したチューブ８の両側に残った外囲パイプ７内の隙間に接着剤９を充填し固定すると、チューブ８の中空部からチャネル５まで連結した中空構造ができあがる。チャネル５はスリットＳに構成され、スリットＳの内側面Ｓａがチャネル５の内壁面を構成する。チューブ８がスリットＳに構成されたチャネル５に接続する。チューブ８及びチャネル５ を介して内視鏡の先端に送液や送気、ガイドワイヤーや処置具の挿入等を行うことができる。
以上のように、チャネル５とチューブ８との接続部を構成することができる。この接続部は、体内挿入部よりも基端側の部分に構成される。
【００３２】
また図８に示すようにスリットＳを通してイメージングファイバー１をライドガイドファイバー４から外に延出させることで、イメージングファイバー１とライドガイドファイバー４とを分岐することができる。このようにイメージングファイバー１とライトガイドファイバー４とを分岐させると、照明光学系Ｌと撮像光学系Ｍとを分離することができるため、互いの光学系間での遮光対策が設けやすいこと、各光学系のレンズ等の組立性が良いこと等の効果が奏される。
【００３３】
図９に示すように、チャネル５の断面形状が丸型（円形型、角丸型、楕円形型を含む）になるよう、ライトガイドファイバー４の分割面やレンズ枠３の外周壁面、外装チューブ６の内周壁面であって、チャネル５の内壁面を構成する部分を加工しても良い。
チャネル５にガイドワイヤーや処置具等を挿入する場合、もっとも効率性のよい形状は円形であり、挿入させたい処置具が円滑に挿入できるようにチャネル５の形状を加工することで、内視鏡の細径性を維持しつつ、挿入性を向上することができる。
そのために、チャネル５の内壁面を構成する照明光学系Ｌ（ライトガイドファイバー４）の外壁面は凹状で長手方向に連続する凹面で構成される。チャネル５の内壁面を構成する撮像光学系Ｍの外壁面は、通常凸な円筒外面となるが、これを平面に加工したり、凹状で長手方向に連続する凹面に加工したりするとよい。チャネル５の内壁面を構成する外装チューブ６の外壁面は、通常凹状の円筒内面となるからそのままでもよいし、さらに凹むように加工してもよい。
【００３４】
図１０に示すように、外装チューブ６のチャネル５の内壁面を構成する部位６ａが、チャネル５の内部からの圧力によってチャネル５の断面積を拡大するよう外側に膨張変形可能に構成されたものを実施できる。部位６ａを膨張させるチャネル５の内部からの圧力とは、チャネル５内に送液若しくは送気される流体１０による圧力、チャネル５内に挿入される処置具等の固体物からの押圧力である。
部位６ａを膨張変形可能にすることは、外装チューブ６に弾性若しくは可塑性の高い材料を適用することで容易に成される。また、部位６ａに予め弛みを持たせて構成し、内圧によって展張するようにしてもよい。
【００３５】
このような部位６ａの膨張機能を用いることで、送液若しくは送気時にチャネル５に加わる圧力で図１０(a)から図１０(b)のようにチャネル５の断面積を一時的に大きくすることができ、小さな力で液体や気体を内視鏡の基端部から先端部へ送ることができる。また、内視鏡の体内への挿入時には最小限の直径で挿入作業を行え、観察患部付近ではチャネル５の径を大きくしつつチャネル５を通して比較的大径の処置具等の挿入も可能とし、作業性の向上、適用できる処置具の種類の拡大等が図られる。
【００３６】
次に、周辺器機も含めたシステム全体の形態及び使い方について図１１に示す構成を例に説明する。
図１から図１０までを参照して説明した内視鏡の先端部を含む体内挿入部Ａ１が図１１に示すように親内視鏡Ｂのチャネルに挿通される。
分岐部Ａ２において例えば図８に示した構造により撮像光学系Ｍ及び照明光学系Ｌと、送液や送気、処置具の挿入用のチューブとが分岐され、前者はチューブＡ３を通って接眼ユニットＡ４に接続され、後者はチューブＡ５に続き、例えばシリンジＡ６に接続される。なお、図８に示した撮像光学系Ｍと照明光学系Ｌとの分岐構造は接眼ユニットＡ４内に配置することができる。
接眼ユニットＡ４には、照明光学系Ｌが接続する照明用の光源と、撮像光学系Ｍが接続する観察用の接眼レンズ若しくは電子カメラとが備わっており、観察対象の画像を得るための機能が備わっている。
シリンジＡ６は送液用、送気用のいずれでもよい。シリンジを押し出すことでシリンジ内部に充填された液体や気体が体内挿入部Ａ１の先端部に送られる。
【００３７】
図１１に示すシステム構成例のように、本実施形態の内視鏡は他製品の内視鏡を親内視鏡Ｂとして組み合わせて用いても良い。親内視鏡Ｂのチャネルに本実施形態の内視鏡の体内挿入部Ａ１を挿通することで親内視鏡Ｂの案内によって体内への挿入を行い、親内視鏡Ｂでは挿入が不可能な卵管内、胆管内、膵管内等の細径な部位へ体内挿入部Ａ１を進入させて内部を観察することができる。
【００３８】
なお、上記実施形態においては撮像光学系Ｍをイメージングファイバー１とレンズ２とにより構成したが、撮像光学系ＭをＣＣＤ等の撮像素子とレンズとにより構成し、この撮像素子をレンズとともに内視鏡の先端部に装備してもよい。
【符号の説明】
【００３９】
１     イメージングファイバー
２     レンズ
３     レンズ枠
４     ライトガイドファイバー
５     チャネル
６     外装チューブ
７     外囲パイプ
４１   ライトガイドファイバー
５１，５２    チャネル
Ｌ     照明光学系
Ｍ     撮像光学系
Ｓ     スリット
【図１】
2014226338.tif 000003
【図２】
2014226338.tif 000004
【図３】
2014226338.tif 000005
【図４】
2014226338.tif 000006
【図５】
2014226338.tif 000007
【図６】
2014226338.tif 000008
【図７】
2014226338.tif 000009
【図８】
2014226338.tif 000010
【図９】
2014226338.tif 000011
【図１０】
2014226338.tif 000012
【図１１】
2014226338.tif 000013